(57)【要約】【課題】取付部品及び筐体のサイズを大きくすることなく防水性を確保する。【解決手段】部品挿入口１３よりも外側に膨出する膨出部１４ａを有するＵＳＢ端子１４を部品挿入口１３に挿入し、ＵＳＢ端子１４が挿入されたカバー本体１１を第１傾斜面１３ａ及び第２傾斜面が、防水性接着剤１６を吐出するノズルＮに対して傾斜するように保持し、膨出部１４ａ近傍を含め第１傾斜面１３ａ及び第２傾斜面にノズルＮから防水性接着剤１６を途切れることなく連続して塗布し、第１傾斜面１３ａ及び第２傾斜面に沿って部品挿入口１３周縁とＵＳＢ端子１４との間の隙間に流し込む。【選択図】図１
2014212494.tif 000002
【特許請求の範囲】
【請求項１】
部品挿入口を有する筐体と、
上記部品挿入口に挿入された状態で、該部品挿入口から垂直な方向から見て先端が該部品挿入口よりも外側に膨出する膨出部を有する取付部品と、
上記部品挿入口周縁と上記取付部品との間の隙間を埋める防水性接着剤と、
上記膨出部に設けられ、上記防水性接着剤を吐出するノズルを避けるように切り欠かれたノズル回避部と、
上記部品挿入口周縁における上記ノズル回避部の表面に対して傾斜した傾斜面とを有する
ことを特徴とする防水性接着剤塗布構造。
【請求項２】
請求項１に記載の防水性接着剤塗布構造において、
上記傾斜面は、少なくとも上記膨出部近傍の上記取付部品を上記部品挿入口に挿入した状態の上記部品挿入口周縁における該取付部品との間の隙間の周縁に設けられている
ことを特徴とする防水性接着剤塗布構造。
【請求項３】
請求項２に記載の防水性接着剤塗布構造において、
上記筐体は、電子部品を覆うカバーであり、
上記取付部品は、上記電子部品に接続する端子である
ことを特徴とする防水性接着剤塗布構造。
【請求項４】
筐体の部品挿入口に垂直な方向から見たときに該部品挿入口よりも外側に膨出する膨出部を有する取付部品を、該部品挿入口に挿入する挿入工程と、
上記取付部品が挿入された筐体を、上記部品挿入口周縁の傾斜面が、該部品挿入口周縁と上記取付部品との間の隙間を埋める防水性接着剤を吐出するノズルに対して傾斜するように保持する保持工程と、
上記膨出部近傍を含め、上記部品挿入口周縁の傾斜面に上記ノズルから上記防水性接着剤を途切れることなく連続して塗布し、該傾斜面に沿って該防水性接着剤を上記隙間に流し込む接着工程とを含む
ことを特徴とする防水性接着剤の塗布方法。
【発明の詳細な説明】
【技術分野】
【０００１】
本発明は、防水性接着剤の塗布方法及びその塗布構造に関するものである。
【背景技術】
【０００２】
防水、防塵など外部と内部とを遮蔽する必要のある筺体の一部に部品挿入口をあけ、取付部品を挿入する場合、筺体と取付部品との間にできる隙間を封止する必要がある。その方法として、パッキンを取り付ける方法又は接着性のあるシール剤を塗布する方法がある。
【０００３】
従来のシール剤の塗布方法として、例えば特許文献１のように、ワークの被塗布面とノズルとを相対移動させながら、ノズルの先端吐出口から材料を被塗布面上の所定の軌跡に沿って塗布するものは知られている。
【先行技術文献】
【特許文献】
【０００４】
【特許文献１】特開２００３−２１１０４５号公報
【発明の概要】
【発明が解決しようとする課題】
【０００５】
しかしながら、従来の防水性接着剤の塗布方法では、部品挿入口に垂直な方向から見たときに、取付部品の接着剤塗布側が部品挿入口の内径よりも大きく膨出している場合、接着剤を塗布できないか、数工程に分けて塗布するしか方法がなかった。接着剤を塗布する工程を複数工程に分けると、接着剤の合わせ目に、気泡等の不具合が発生しやすく、また、部品公差等によるズレ修正を工程毎に行わなければならず、ロスが多いという問題がある。
【０００６】
また、防水パッキンを取り付ける場合は、その取付構造、防水パッキンを圧縮して固定する保持構造などにより、部品の強度及び剛性を確保せねばならず、部品サイズが大きくなってしまうという問題がある。
【０００７】
本発明は、かかる点に鑑みてなされたものであり、その目的とするところは、取付部品及び筐体のサイズを大きくすることなく防水性を確保することにある。
【課題を解決するための手段】
【０００８】
上記の目的を達成するために、この発明では、防水性接着剤を１工程で塗布できる構造にした。
【０００９】
具体的には、本発明の防水性接着剤塗布構造は、
部品挿入口を有する筐体と、
上記部品挿入口に挿入された状態で、該部品挿入口から垂直な方向から見て先端が該部品挿入口よりも外側に膨出する膨出部を有する取付部品と、
上記部品挿入口周縁と上記取付部品との間の隙間を埋める防水性接着剤と、
上記膨出部に設けられ、上記防水性接着剤を吐出するノズルを避けるように切り欠かれたノズル回避部と、
上記部品挿入口周縁における上記ノズル回避部の表面に対して傾斜した傾斜面とを有する。
【００１０】
上記の構成によると、防水性接着剤を吐出するノズルに対して傾斜する傾斜面を膨出部近傍の部品挿入口周縁に設けたことにより、部品挿入口から少し離れたところに防水性接着剤を塗布しても、この傾斜面に沿って防水性接着剤が部品挿入口周縁と取付部品との間の隙間に流れ込むため、取付部品の先端側に膨出部があったとしても防水性を確保するために必要とされる封止面を最小とすることができ、部品サイズの削減が可能となる。
【００１１】
また、本発明の防水性接着剤の塗布方法は、
筐体の部品挿入口に垂直な方向から見たときに該部品挿入口よりも外側に膨出する膨出部を有する取付部品を、該筐体の部品挿入口に挿入する挿入工程と、
上記取付部品が挿入された筐体を、上記部品挿入口周縁の傾斜面が、該部品挿入口周縁と上記取付部品との間の隙間を埋める防水性接着剤を吐出するノズルに対して傾斜するように保持する保持工程と、
上記膨出部近傍を含め、上記部品挿入口周縁の傾斜面に上記ノズルから上記防水性接着剤を途切れることなく連続して塗布し、該傾斜面に沿って該防水性接着剤を上記隙間に流し込む接着工程とを含む構成とする。
【００１２】
上記の構成によると、部品挿入口から少し離れたところに防水性接着剤を塗布しても、防水性接着剤を吐出するノズルに対して傾斜する傾斜面に沿って防水性接着剤が部品挿入口周縁と取付部品との間の隙間に流れ込むため、取付部品の先端側に膨出部があったとしても防水性を確保するために必要とされる封止面を最小とすることができ、部品サイズの削減が可能となる。また、膨出部近傍を含めて部品挿入口周縁の傾斜面にノズルから防水性接着剤を途切れることなく容易に連続して塗布できる。
【発明の効果】
【００１３】
以上説明したように、本発明によれば、取付部品が挿入された筐体を部品挿入口周縁の傾斜面が部品挿入口周縁と取付部品との間の隙間を埋める防水性接着剤を吐出するノズルに対して傾斜するように保持して接着を行うようにしたことにより、塗布取付部品及び筐体のサイズを大きくすることなく防水性を確保することができる。
【図面の簡単な説明】
【００１４】
【図１】本発明の実施形態に係る防水性接着剤塗布構造を示す断面図であり、（ａ）が防水性接着剤塗布前の様子を示し、（ｂ）が防水性接着剤を塗布する様子を示す。
【図２】携帯電話機を背面側から見た斜視図である。
【図３】携帯電話機を背面側から見た分解斜視図である。
【図４】（ａ）及び（ｂ）は、電池カバーをそれぞれ別の方向から見た斜視図である。
【図５】カバー本体とＵＳＢ端子とを示す分解斜視図である。
【図６】カバー本体とＵＳＢ端子とが接着された状態を示す平面図である。
【発明を実施するための形態】
【００１５】
以下、本発明の実施形態を図面に基づいて説明する。
【００１６】
図２は、携帯電話機１を背面側から見た斜視図であり、図３は、携帯電話機１を背面側から見た分解斜視図である。携帯電話機１は、例えばスマートフォンであり正面側に液晶表示部（図示せず）を備え、この液晶表示部が例えば樹脂成形品よりなる携帯本体３の正面側に貼り付けられている。携帯本体３の背面は、例えば樹脂成形品のリアカバー４で覆われている。携帯本体３の内部には、液晶表示部２の背面に電子部品としての充電池５が内蔵され、その背面側に同じく電子部品としてのメイン基板（図示せず）が配置されている。そして、携帯電話機１の下部に充電池５を覆う電池カバー１０が設けられている。
【００１７】
図１は、本発明の実施形態に係る防水性接着剤塗布構造を示す断面図であり、（ａ）が防水性接着剤塗布前の様子を示し、（ｂ）が防水性接着剤を塗布する様子を示す。図４（ａ）及び図４（ｂ）は、電池カバー１０をそれぞれ別の方向から見た斜視図である。本発明の実施形態に係る防水性接着剤塗布構造９は、この電池カバー１０に設けられている。電池カバー１０は、樹脂成形品よりなる筐体としてのカバー本体１１と、その外面を覆う装飾カバー１２とを備えている。電池カバー１０は、携帯本体３に充電池５を装着した後、ビス挿通孔１１ａにカバー取付ビス１５を挿通して携帯本体３に固定するようになっている。
【００１８】
図５は、カバー本体１１とＵＳＢ端子１４とを示す分解斜視図であり、図６は、カバー本体１１とＵＳＢ端子１４とを示す平面図である。カバー本体１１には、取付部品としての例えばＵＳＢ端子１４を挿入する部品挿入口１３を有する。部品挿入口１３は、平面視で略矩形状であり、上下に貫通している。
【００１９】
この部品挿入口１３には、取付部品としてのＵＳＢ端子１４が挿入されるようになっている。ＵＳＢ端子１４の携帯本体３側に挿入される先端には、平面視で部品挿入口１３よりも外側に膨出する膨出部１４ａが形成されている。ＵＳＢ端子１４の下側には、カバー本体１１の背面側に装着される板状部１４ｂが形成されている。ＵＳＢ端子１４は、その先端の膨出部１４ａから部品挿入口１３に挿入され、その膨出部１４ａが部品挿入口１３を通過後背面側に少しずらして板状部１４ｂをカバー本体１１の背面のネジ穴１１ｂにビス１４ｃを締結して固定されるようになっている。
【００２０】
そして、本発明の特徴として、図１（ｂ）に示すように、部品挿入口１３周縁とＵＳＢ端子１４との間の隙間は、防水性接着剤１６で防水（封止）されている。膨出部１４ａには、防水性接着剤１６を吐出するノズルＮを避けるために、下方に向かって正面へ傾斜するように切り欠かれたノズル回避部１４ｄが設けられている。そして、部品挿入口１３の正面側及び背面側周縁には、ノズル回避部１４ｄの表面に対して傾斜した第１傾斜面１３ａが形成されている。一方、図５に示すように、部品挿入口１３の左右方向周縁には、下方に向かって左右内側へ傾斜する第２傾斜面１３ｂが形成されている。このため、本実施形態では、一対の第１傾斜面１３ａが一対の第２傾斜面１３ｂに矩形状に連続している。
【００２１】
次に、本実施形態に係る防水性接着剤１６の塗布方法について説明する。
【００２２】
まず、準備工程として、カバー本体１１、ＵＳＢ端子１４等を用意する。
【００２３】
次いで、図５に示すように、挿入工程において、ＵＳＢ端子１４をカバー本体１１の部品挿入口１３に下方より挿入する。そして、膨出部１４ａが部品挿入口１３を通過後背面側に少しずらして板状部１４ｂをカバー本体１１の背面のネジ穴１１ｂにビス１４ｃを締結して固定する。
【００２４】
次いで、保持工程において、図１（ａ）に示すように、ＵＳＢ端子１４が挿入されたカバー本体１１を部品挿入口１３周縁の第１傾斜面１３ａが防水性接着剤１６を吐出するノズルＮの延びる方向に対して傾斜するように保持する。図示しないが、部品挿入口１３の左右周縁は、第２傾斜面１３ｂが形成されているので、左右方向でもノズルＮに対して第２傾斜面１３ｂが傾斜している。
【００２５】
次いで、接着工程において、図１（ｂ）に示すように、部品挿入口１３周縁とＵＳＢ端子１４との間の隙間Ｃを埋めるように、部品挿入口１３周縁の第１傾斜面１３ａ及び第２傾斜面１３ｂにノズルＮから防水性接着剤１６を途切れることなく全周に塗布し、第１傾斜面１３ａ及び第２傾斜面１３ｂに沿って防水性接着剤１６を隙間Ｃへ流し込む。このとき、膨出部１４ａにはノズル回避部１４ｄが形成されているので、ノズルＮが膨出部１４ａに接触することはない。
【００２６】
このように、ノズルＮから部品挿入口１３周縁とＵＳＢ端子１４との間の隙間に防水性接着剤１６を流し込むときに部品挿入口１３周縁の第１傾斜面１３ａに流し込めば、第１傾斜面１３ａに沿って防水性接着剤１６が流れ込むので、一工程で途切れることなく、防水性接着剤１６を塗布することができる。このため、防水性接着剤１６の合わせ目に気泡等の不具合が発生することがなく、また、部品公差等によるズレ修正を工程毎に行う必要がなくてロスが少ない。
【００２７】
また、第１傾斜面１３ａ及び第２傾斜面１３ｂをＵＳＢ端子１４を部品挿入口１３に挿入した状態の部品挿入口１３周縁と該ＵＳＢ端子１４との間の隙間の周縁に設けたので、膨出部１４ａがあっても隙間から少し離れたところに防水性接着剤１６を塗布すれば重力で隙間に流れ込むので、一工程で途切れることなく、防水性接着剤１６を容易に塗布することができる。
【００２８】
本実施形態では、カバー本体１１内に、携帯本体３内部のメイン基板６に接続する必要のあるＵＳＢ端子１４を挿通した場合でも、部品挿入口１３の周縁は防水性接着剤１６で確実に防水されるので、安いコストで防水性が高くサイズの小さな携帯電話機１が得られる。
【００２９】
さらに、防水性接着剤１６を吐出するノズルＮに対して傾斜する第１傾斜面１３ａ及び第２傾斜面１３ｂを部品挿入口１３周縁に設けたことにより、この第１傾斜面１３ａに沿って防水性接着剤１６が流れ込むため、ＵＳＢ端子１４の先端側に膨出部１４ａがあったとしても防水性を確保するために必要とされる封止面を最小とすることができ、防水性接着剤塗布構造９を最小限とすることができる。
【００３０】
したがって、本実施形態に係る防水性接着剤塗布構造９によると、ＵＳＢ端子１４が挿入されたカバー本体１１を部品挿入口１３周縁の第１傾斜面１３ａ及び第２傾斜面１３ｂが部品挿入口１３周縁とＵＳＢ端子１４との間の隙間を埋める防水性接着剤１６を吐出するノズルＮに対して傾斜するように保持して接着を行うようにしたことにより、ＵＳＢ端子１４及びカバー本体１１のサイズを大きくすることなく防水性を確保することができる。
【００３１】
（その他の実施形態）
本発明は、上記実施形態について、以下のような構成としてもよい。
【００３２】
すなわち、上記実施形態では、防水性接着剤塗布構造を携帯電話機１の電池カバー１０に設けたが、これに限定されず、電子部品であるメイン基板を覆うカバーでもよく、また携帯電話機１のカバー等ではなく、ＰＨＳ（Personal Handy-phone System）、ＰＤＡ(PersonalDigital Assistant)、スマートフォン、パソコン、モバイルツール、電子辞書、電卓、ゲーム機等におけるカバー等でもよい。
【００３３】
上記実施形態では、第１傾斜面１３ａ及び第２傾斜面１３ｂを部品挿入口１３の全周に設けているが、少なくともノズルＮを避ける必要がある膨出部１４ａの近傍に設けていればよい。また、防水性接着剤１６を部品挿入口１３の周縁全周に塗布したが、隙間のある部分にのみ設けてもよい。
【００３４】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３５】
１      携帯電話機
２      液晶表示部
３      携帯本体
４      リアカバー
５      充電池
１０      電池カバー
１１      カバー本体
１１ｂ    ネジ穴
１２      装飾カバー
１３      部品挿入口
１３ａ    傾斜面
１３ｂ    第２傾斜面
１４      ＵＳＢ端子
１４ａ    膨出部
１４ｂ    板状部
１４ｃ    ビス
１４ｄ    ノズル回避部
１５      カバー取付ビス
１６      防水性接着剤
Ｎ      ノズル
【図１】
2014212494.tif 000003
【図２】
2014212494.tif 000004
【図３】
2014212494.tif 000005
【図４】
2014212494.tif 000006
【図５】
2014212494.tif 000007
【図６】
2014212494.tif 000008